(57)【要約】【課題】この発明は、ソフトウエアキーボード機能を用いた文字入力で、ラテン語系アルファベットにおける区別的発音符の入力操作を容易化して、ユーザにとっての入力操作の利便性を向上させ実用に好適するようにした文字入力装置及び文字入力方法を提供することを目的としている。【解決手段】リモートコントローラ（２４）のキー操作に基づいて、画面上に表示された複数のアルファベットの文字の中からいずれかの文字を選択して入力する際、リモートコントローラ（２４）のキー操作に基づいて、選択されたアルファベットの文字に対して存在する複数の区別的発音符を画面上に表示し、この画面上に表示された複数の区別的発音符の中からいずれかの区別的発音符を選択して入力する。【選択図】    図７
2011141691.tif 000002
【特許請求の範囲】
【請求項１】
リモートコントローラのキー操作に基づいて、複数のアルファベットの文字を画面上に表示し、この画面上に表示された複数のアルファベットの文字の中からいずれかの文字を選択して入力する入力手段と、
前記リモートコントローラのキー操作に基づいて、前記入力手段で選択されたアルファベットの文字に対して存在する複数の区別的発音符を画面上に表示し、この画面上に表示された複数の区別的発音符の中からいずれかの区別的発音符を選択して入力する制御手段とを具備することを特徴とする文字入力装置。
【請求項２】
前記制御手段は、前記リモートコントローラのキー操作に基づいて、前記入力手段で入力されたアルファベットの文字に対して存在する複数の区別的発音符を画面上に表示し、画面上に表示された複数の区別的発音符の中からいずれかの区別的発音符を選択して入力することを特徴とする請求項１記載の文字入力装置。
【請求項３】
前記制御手段は、前記入力手段で選択されたアルファベットの文字に対して存在する複数の区別的発音符を、前記リモートコントローラの第１のキーが操作される毎に順次選択的に切り替えて画面上に表示し、前記リモートコントローラの第２のキーが操作されたとき、画面上に表示されていた区別的発音符を入力することを特徴とする請求項１記載の文字入力装置。
【請求項４】
前記制御手段は、前記入力手段で選択されたアルファベットの文字に対して存在する複数の区別的発音符を、前記リモートコントローラの第１のキーの操作に基づいて前記画面上に一覧表示し、この一覧表示された複数の区別的発音符の中から前記リモートコントローラのキー操作に基づいていずれかの区別的発音符を選択して入力することを特徴とする請求項１記載の文字入力装置。
【請求項５】
前記制御手段は、前記入力手段で選択されたアルファベットの文字が区別的発音符の存在しない文字である場合、前記リモートコントローラの第１のキーが操作されても無反応であることを特徴とする請求項３または４記載の文字入力装置。
【請求項６】
前記制御手段は、前記入力手段で選択されたアルファベットの文字が区別的発音符の存在しない文字である場合、前記リモートコントローラの第１のキーに対する操作ガイドを画面上から削除することを特徴とする請求項３または４記載の文字入力装置。
【請求項７】
前記制御手段は、前記入力手段で選択されたアルファベットの文字が区別的発音符の存在しない文字である場合、その旨を示す警告を画面上に表示することを特徴とする請求項３または４記載の文字入力装置。
【請求項８】
前記制御手段は、前記入力手段で選択されたアルファベットの文字が区別的発音符の存在しない文字である場合、その文字のみを前記一覧表示として表示することを特徴とする請求項４記載の文字入力装置。
【請求項９】
リモートコントローラのキー操作に基づいて、複数のアルファベットの文字を画面上に表示し、この画面上に表示された複数のアルファベットの文字の中からいずれかの文字を選択して入力する工程と、
前記リモートコントローラのキー操作に基づいて、前記選択されたアルファベットの文字に対して存在する複数の区別的発音符を画面上に表示し、この画面上に表示された複数の区別的発音符の中からいずれかの区別的発音符を選択して入力する工程とを有することを特徴とする文字入力方法。
【発明の詳細な説明】
【技術分野】
【０００１】
この発明は、特にラテン語系アルファベットの文字入力に対しての改良を施した文字入力装置及び文字入力方法に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も実用化されている。
【０００３】
このため、このようなデジタルテレビジョン放送を受信するデジタルテレビジョン放送受信機器としては、現行の地上アナログ放送とともに、衛星デジタル放送や地上デジタル放送等を選択的に受信する機能が搭載されている。また、現在、この種のデジタルテレビジョン放送受信機器にあっては、ネットワーク接続機能も搭載されている。
【０００４】
このネットワーク接続機能を搭載することにより、デジタルテレビジョン放送受信機器は、ＰＣ（personal computer）や記録再生機器とともにホームネットワークを構築し、ＰＣの制御に基づいて、受信したコンテンツを記録再生機器に記録することや、記録再生機器からコンテンツを取得して再生することができる。
【０００５】
さらに、このネットワーク接続機能を備えたデジタルテレビジョン放送受信機器には、ソフトウエアキーボード機能が搭載されている。このソフトウエアキーボード機能は、表示画面上にキーボードを表示し、その表示されたキーボード上でリモートコントローラにより文字入力を行なえるようにしたものである。
【０００６】
このようなソフトウエアキーボード機能がデジタルテレビジョン放送受信機器に搭載されることにより、ユーザにとっては、ＰＣのキーボード以外に文字入力のための操作手段が設けられることになり、しかも、通常視認している表示画面上で文字入力を実行することができるため、入力操作の利便性が高められることになる。
【０００７】
しかしながら、この種のソフトウエアキーボード機能は、まだまだ開発途上にある段階であって、細部に亘って開発を行なう余地が多々残されている。特に、ラテン語系アルファベットの文字入力を行なう際、区別的発音符の入力操作については、利便性を高めるための有効な開発がほとんどなされていないのが現状である。
【０００８】
特許文献１には、電子機器のための数字キーブロックのキー操作によってテキスト入力を行なうための装置であって、数字キーブロック内のAltキーを操作することにより特殊キャラクタ（区別的発音符）の一覧がディスプレイに表示され、その一覧の中から所望の文字を選択して入力するようにした構成が開示されている。
【先行技術文献】
【特許文献】
【０００９】
【特許文献１】特許第４１８１９９９号公報
【発明の概要】
【発明が解決しようとする課題】
【００１０】
そこで、この発明は上記事情を考慮してなされたもので、ソフトウエアキーボード機能を用いた文字入力で、ラテン語系アルファベットにおける区別的発音符の入力操作を容易化して、ユーザにとっての入力操作の利便性を向上させ実用に好適するようにした文字入力装置及び文字入力方法を提供することを目的とする。
【課題を解決するための手段】
【００１１】
この発明に係る文字入力装置は、リモートコントローラのキー操作に基づいて、複数のアルファベットの文字を画面上に表示し、この画面上に表示された複数のアルファベットの文字の中からいずれかの文字を選択して入力する入力手段と、リモートコントローラのキー操作に基づいて、入力手段で選択されたアルファベットの文字に対して存在する複数の区別的発音符を画面上に表示し、この画面上に表示された複数の区別的発音符の中からいずれかの区別的発音符を選択して入力する制御手段とを備えるようにしたものである。
【００１２】
また、この発明に係る文字入力方法は、リモートコントローラのキー操作に基づいて、複数のアルファベットの文字を画面上に表示し、この画面上に表示された複数のアルファベットの文字の中からいずれかの文字を選択して入力する工程と、リモートコントローラのキー操作に基づいて、選択されたアルファベットの文字に対して存在する複数の区別的発音符を画面上に表示し、この画面上に表示された複数の区別的発音符の中からいずれかの区別的発音符を選択して入力する工程とを有するようにしたものである。
【発明の効果】
【００１３】
上記した発明によれば、リモートコントローラのキー操作に基づいて、選択されたアルファベットの文字に対して存在する複数の区別的発音符を画面上に表示し、この画面上に表示された複数の区別的発音符の中からいずれかの区別的発音符を選択して入力するようにしたので、ソフトウエアキーボード機能を用いた文字入力で、ラテン語系アルファベットにおける区別的発音符の入力操作を容易化することができ、ユーザにとっての入力操作の利便性を向上させ実用に好適するものとなる。
【図面の簡単な説明】
【００１４】
【図１】この発明の実施の形態を示すもので、デジタルテレビジョン放送受信装置の概略を説明するために示すブロック構成図。
【図２】同実施の形態におけるデジタルテレビジョン放送受信装置のリモートコントローラの外観を説明するために示す図。
【図３】同実施の形態におけるデジタルテレビジョン放送受信装置で表示されるマニュアル設定項目選択画面の一例を説明するために示す図。
【図４】同実施の形態におけるデジタルテレビジョン放送受信装置で表示される文字入力画面の一例を説明するために示す図。
【図５】同実施の形態における文字入力画面を用いた文字の入力操作を説明するために示す図。
【図６】同実施の形態における文字入力画面を用いた文字入力後のマニュアル設定項目選択画面の一例を説明するために示す図。
【図７】同実施の形態における文字入力画面を用いた区別的発音符の入力操作を説明するために示す図。
【図８】同実施の形態における区別的発音符の存在しない文字が入力されたときの文字入力画面の一例を説明するために示す図。
【図９】同実施の形態における区別的発音符の存在しない文字が入力されたときの文字入力画面の他の例を説明するために示す図。
【図１０】同実施の形態における文字入力画面を用いた区別的発音符の入力操作の他の例を説明するために示す図。
【発明を実施するための形態】
【００１５】
以下、この発明の実施の形態について図面を参照して詳細に説明する。図１は、この実施の形態で説明するデジタルテレビジョン放送受信装置１１の概略を示している。すなわち、アンテナ１２で受信したデジタル放送信号は、入力端子１３を介してデジタルチューナ１４に供給されることにより、所望のチャンネルのデジタル放送信号が選局される。
【００１６】
このデジタルチューナ１４で選局されたデジタル放送信号は、信号処理部１５に供給されて復調されることにより映像信号と音声信号とに分離される。このうち、映像信号は、デコーダ部１６に供給されてデコード処理が施された後、映像処理部１７に供給されて画面サイズ調整等の所定のデジタル信号処理が施される。
【００１７】
そして、映像処理部１７から出力された映像信号は、表示処理部１８に供給されて文字情報やＯＳＤ（on screen display）信号等のグラフィック情報が重畳される。その後、表示処理部１８でグラフィック情報の重畳された映像信号は、映像表示部１９に供給されて映像表示に供される。
【００１８】
また、上記信号処理部１５で分離された音声信号は、音声処理部２０に供給されて所定の音声信号処理が施された後、増幅される。そして、音声処理部２０から出力された音声信号は、スピーカ２１に供給され音声再生に供される。
【００１９】
ここで、このデジタルテレビジョン放送受信装置１１は、上記した受信動作を含むその全ての動作を制御部２２によって統括的に制御されている。この制御部２２は、ＣＰＵ（central processing unit）２２ａを内蔵しており、デジタルテレビジョン放送受信装置１１の本体に設置された操作部２３から得られる操作情報、または、リモートコントローラ２４から送出され受光部２５で受信した操作情報を受けて、その操作内容が反映されるように各部をそれぞれ制御している。
【００２０】
この場合、制御部２２は、主として、メモリ部２２ｂを利用している。そのメモリ部２２ｂは、ＣＰＵ２２ａが実行する制御プログラムを格納したＲＯＭ（read only memory）と、該ＣＰＵ２２ａに作業エリアを提供するＲＡＭ（random access memory）と、各種の設定情報及び制御情報等が格納される不揮発性メモリとを有している。
【００２１】
また、上記制御部２２には、ＨＤＤ２６が接続されている。この制御部２２は、ユーザによる操作部２３またはリモートコントローラ２４の操作に基づいて、上記デコーダ部１６から得られる映像信号と上記音声処理部２０から得られる音声信号とを、ＨＤＤ２６に供給してハードディスク２６ａに記録させるように制御することができる。
【００２２】
さらに、この制御部２２は、ユーザによる操作部２３またはリモートコントローラ２４の操作に基づいて、ＨＤＤ２６によりハードディスク２６ａから映像信号及び音声信号を読み出させ、デコーダ部１６及び音声処理部２０にそれぞれ供給して映像表示及び音声再生に供させるように制御することができる。
【００２３】
また、上記制御部２２には、ネットワークインターフェース２７が接続されている。このネットワークインターフェース２７は、入出力端子２８を介して外部のネットワーク２９に接続されている。そして、このネットワーク２９には、ネットワークコントローラとしてのＰＣ３０や、例えばＨＤＤ等の記録再生機器３１が接続されている。
【００２４】
このため、制御部２２は、ネットワークインターフェース２７、入出力端子２８及びネットワーク２９を介して、ＰＣ３０や記録再生機器３１にアクセスして情報伝送を行なうことができる。これにより、制御部２２は、ＰＣ３０の制御に基づいてコンテンツの受信を行ない、受信したコンテンツを記録再生機器３１に記録させることができる。
【００２５】
また、制御部２２は、ＰＣ３０の制御に基づいて、記録再生機器３１から所定のコンテンツを読み出して、映像表示や音声再生を行なうことができる。さらに、制御部２２は、ＰＣ３０の制御に基づいて、ＨＤＤ２６に記録されているコンテンツを記録再生機器３１に記録したり、記録再生機器３１に記録されているコンテンツをＨＤＤ２６に記録したりすることもできる。
【００２６】
さらに、上記制御部２２は、文字入力処理部２２ｃを備えている。この文字入力処理部２２ｃは、ソフトウエアキーボード機能を実現する部分である。すなわち、映像表示部１９の画面上にキーボードを表示させ、ユーザがリモートコントローラ２４を操作して、画面に表示されたキーボード上から所定の文字を選択して入力する処理を制御している。
【００２７】
この場合、文字入力処理部２２ｃは、詳細は後述するが、特に、ラテン語系アルファベットにおける区別的発音符、例えば“Ａ”について言えば、
【数１】
2011141691.tif 000003
【００２８】
なる文字の入力操作を、ユーザが容易に行なえるように制御している。
【００２９】
図２は、上記リモートコントローラ２４の外観を示している。このリモートコントローラ２４には、主として、電源キー２４ａ、入力切替キー２４ｂ、数字キー２４ｃ、チャンネルアップダウンキー２４ｄ、音量調整キー２４ｅ、カーソル上キー２４ｆ、カーソル下キー２４ｇ、カーソル左キー２４ｈ、カーソル右キー２４ｉ、決定キー２４ｊ、メニューキー２４ｋ、戻るキー２４ｌ、終了キー２４ｍ、青色キー２４ｎ、赤色キー２４ｏ、緑色キー２４ｐ、黄色キー２４ｑ等が設けられている。
【００３０】
また、このリモートコントローラ２４には、再生停止キー２４ｒ、再生／一時停止キー２４ｓ、逆方向スキップキー２４ｔ、順方向スキップキー２４ｕ、早戻しキー２４ｖ、早送りキー２４ｗ等が設けられている。
【００３１】
すなわち、上記ＨＤＤ２６や記録再生機器３１等から取得したコンテンツに対しては、リモートコントローラ２４の再生停止キー２４ｒや再生／一時停止キー２４ｓを操作することにより、再生、停止、一時停止を行なうことが可能となる。
【００３２】
また、リモートコントローラ２４の逆方向スキップキー２４ｔや順方向スキップキー２４ｕを操作することにより、再生しているコンテンツを、その再生方向に対して逆方向や順方向に一定量ずつスキップさせる、いわゆる、逆方向スキップや順方向スキップを行なうことができる。
【００３３】
さらに、リモートコントローラ２４の早戻しキー２４ｖや早送りキー２４ｗ等を操作することにより、再生しているコンテンツを、その再生方向に対して逆方向や順方向に連続的に高速で再生させる、いわゆる、早戻し再生や早送り再生を行なうことができる。
【００３４】
上記したデジタルテレビジョン放送受信装置１１において、以下、ソフトウエアキーボード機能を用いた、ユーザによる文字入力操作について説明する。ここで、ユーザに文字入力操作を行なう必要が生じる場合とは、例えば、ユーザがデジタルテレビジョン放送受信装置１１に対して、ユーザ自身が任意に決めることのできる文字列を入力設定する、いわゆる、マニュアル設定を要求した場合がある。
【００３５】
このマニュアル設定の要求は、ユーザがリモートコントローラ２４のメニューキー２４ｋを操作して、階層構造となされた複数のメニュー画面に分け入ることにより、図３に一例を示すようなマニュアル設定項目選択画面３２を、上記映像表示部１９の画面上に表示させることにより開始される。
【００３６】
このマニュアル設定項目選択画面３２には、デジタルテレビジョン放送受信装置１１に付けるネットワーク２９上での名称や認証番号等、マニュアル設定を行なう項目として種々の項目が表示されている。ユーザは、リモートコントローラ２４のカーソル上または下キー２４ｆ，２４ｇを操作して所望の項目を選択し、決定キー２４ｊを操作することにより、選択された項目に対してユーザが文字入力を行なうための画面が表示される。
【００３７】
例えば、映像表示部１９に図３に示したマニュアル設定項目選択画面３２が表示されている状態で、ユーザが、リモートコントローラ２４のカーソル上または下キー２４ｆ，２４ｇを操作して「ネットワーク上の名称」の項目を選択し、決定キー２４ｊを操作したとする。
【００３８】
すると、上記制御部２２の文字入力処理部２２ｃが、図４に一例を示すような文字入力（ネットワーク上の名称）画面３３を映像表示部１９に表示させる。この文字入力（ネットワーク上の名称）画面３３には、ユーザの入力した文字が表示される入力文字表示部３３ａと、２６個のアルファベットの大文字「Ａ」〜「Ｚ」が一覧表示されたソフトウエアキーボード部３３ｂとが表示されている。
【００３９】
このうち、入力文字表示部３３ａは、それぞれに数字またはアルファベットの文字が１つずつ入力される１１個の入力欄が、画面上で水平方向に一列に配列されている。以下、図中、一番左側の入力欄を先頭の入力欄とし、一番右側の入力欄を末尾の入力欄として、先頭から末尾に向けて各入力欄に順に符号ａ，ｂ，ｃ，ｄ，ｅ，ｆ，ｇ，ｈ，ｉ，ｊ，ｋを付して説明する。
【００４０】
また、上記ソフトウエアキーボード部３３ｂは、２６個のアルファベットの大文字「Ａ」〜「Ｚ」を一覧表示しており、ユーザがリモートコントローラ２４のカーソル上，下，左，右キー２４ｆ〜２４ｉを操作して所望のアルファベットの文字を選択し、決定キー２４ｊを操作することにより、選択されたアルファベットの文字が入力文字表示部３３ａの入力欄に入力される。
【００４１】
具体的に言えば、例えば、図４に示した文字入力（ネットワーク上の名称）画面３３のように、入力文字表示部３３ａの各入力欄に数字やアルファベットの文字が何も入力されていない状態で、ユーザがリモートコントローラ２４の数字キー２４ｃの中の「０」キーを操作し、決定キー２４ｊを操作したとする。すると、図５（ａ）に示すように、入力文字表示部３３ａの先頭の入力欄ａに数字「０」が入力される。
【００４２】
次に、ユーザがリモートコントローラ２４の数字キー２４ｃの中の「１」キーを操作し、決定キー２４ｊを操作したとする。すると、図５（ｂ）に示すように、入力文字表示部３３ａの先頭の入力欄ａの次に先頭となる入力欄ｂ、つまり、先頭の入力欄ａより１つだけ末尾寄りとなる入力欄ｂに数字「１」が入力される。
【００４３】
その後、ユーザがリモートコントローラ２４の数字キー２４ｃの中の「２」キーを操作し、決定キー２４ｊを操作したとする。すると、図５（ｃ）に示すように、入力文字表示部３３ａの入力欄ｂより１つだけ末尾寄りとなる入力欄ｃに数字「２」が入力される。
【００４４】
さらに、ユーザがリモートコントローラ２４の数字キー２４ｃの中の「３」キーを操作し、決定キー２４ｊを操作したとする。すると、図５（ｄ）に示すように、入力文字表示部３３ａの入力欄ｃより１つだけ末尾寄りとなる入力欄ｄに数字「３」が入力される。
【００４５】
次に、ユーザがリモートコントローラ２４のカーソル上，下，左，右キー２４ｆ〜２４ｉを操作して、ソフトウエアキーボード部３３ｂの中のアルファベットの文字「Ａ」を選択し、決定キー２４ｊを操作したとする。すると、図５（ｅ）に示すように、入力文字表示部３３ａの入力欄ｄより１つだけ末尾寄りとなる入力欄ｅにアルファベットの大文字「Ａ」が入力される。
【００４６】
この状態で、ユーザがリモートコントローラ２４の緑色キー２４ｐを操作すると、図５（ｆ）に示すように、入力欄ｅに表示されていたアルファベットの大文字「Ａ」が小文字「ａ」に変換される。そして、ユーザがリモートコントローラ２４の決定キー２４ｊを操作すると、入力欄ｅのアルファベットが小文字「ａ」に決定される。
【００４７】
その後、ユーザがリモートコントローラ２４のカーソル上，下，左，右キー２４ｆ〜２４ｉを操作して、ソフトウエアキーボード部３３ｂの中のアルファベットの文字「Ｂ」を選択し、決定キー２４ｊを操作したとする。すると、図５（ｇ）に示すように、入力文字表示部３３ａの入力欄ｅより１つだけ末尾寄りとなる入力欄ｆにアルファベットの大文字「Ｂ」が入力される。
【００４８】
この状態で、ユーザがリモートコントローラ２４の緑色キー２４ｐを操作すると、図５（ｈ）に示すように、入力欄ｆに表示されていたアルファベットの大文字「Ｂ」が小文字「ｂ」に変換される。そして、ユーザがリモートコントローラ２４の決定キー２４ｊを操作すると、入力欄ｆのアルファベットが小文字「ｂ」に決定される。
【００４９】
さらに、ユーザがリモートコントローラ２４のカーソル上，下，左，右キー２４ｆ〜２４ｉを操作して、ソフトウエアキーボード部３３ｂの中のアルファベットの文字「Ｃ」を選択し、決定キー２４ｊを操作したとする。すると、図５（ｉ）に示すように、入力文字表示部３３ａの入力欄ｆより１つだけ末尾寄りとなる入力欄ｇにアルファベットの大文字「Ｃ」が入力される。
【００５０】
この状態で、ユーザがリモートコントローラ２４の緑色キー２４ｐを操作すると、図５（ｊ）に示すように、入力欄ｇに表示されていたアルファベットの大文字「Ｃ」が小文字「ｃ」に変換される。そして、ユーザがリモートコントローラ２４の決定キー２４ｊを操作すると、入力欄ｇのアルファベットが小文字「ｃ」に決定される。
【００５１】
以上のようにして、入力文字表示部３３ａの入力欄ａ〜ｇに「０１２３ａｂｃ」なる数字及びアルファベットの文字列（この場合、デジタルテレビジョン放送受信装置１１のネットワーク２９上の名称となる）が入力された状態で、ユーザがリモートコントローラ２４の戻るキー２４ｌを操作すると、元のマニュアル設定項目選択画面３２に戻される。
【００５２】
図６は、デジタルテレビジョン放送受信装置１１に対するネットワーク２９上の名称が入力された後のマニュアル設定項目選択画面３２を示している。この場合、マニュアル設定項目選択画面３２の「ネットワーク上の名称」の項目には、デジタルテレビジョン放送受信装置１１のネットワーク２９上における名称として、先に入力した「０１２３ａｂｃ」が表示されている。
【００５３】
ここで、図７（ａ）は、先に示した図５（ｅ）と同様に、ユーザがリモートコントローラ２４のカーソル上，下，左，右キー２４ｆ〜２４ｉを操作して、ソフトウエアキーボード部３３ｂの中からアルファベットの文字「Ａ」を選択し、決定キー２４ｊを操作したことにより、入力文字表示部３３ａの入力欄ｅにアルファベットの大文字「Ａ」が入力された状態を示している。
【００５４】
このように、入力文字表示部３３ａの入力欄ｅにアルファベットの大文字「Ａ」が入力された状態で、ユーザがリモートコントローラ２４の黄色キー２４ｑを操作すると、操作する毎に、上記入力欄ｅには、図７（ｂ），（ｃ），（ｄ），（ｅ），（ｆ），（ｇ），（ｈ）に示すように、アルファベットの大文字「Ａ」に対して存在する７つの区別的発音符が順次選択的に切り替え表示される。
【００５５】
なお、図７（ｈ）に示す状態に到達し、さらに、ユーザがリモートコントローラ２４の黄色キー２４ｑを操作した場合には、再び図７（ａ）に示すように、アルファベットの大文字「Ａ」が表示された状態に戻される。つまり、入力文字表示部３３ａの入力欄ｅにアルファベットの大文字「Ａ」が入力された状態では、ユーザがリモートコントローラ２４の黄色キー２４ｑを操作する毎に、入力欄ｅに表示される文字が
【数２】
2011141691.tif 000004
【００５６】
のように循環的に切り替えられることになる。
【００５７】
このため、ユーザは、リモートコントローラ２４の黄色キー２４ｑを操作することによって、アルファベットの大文字「Ａ」、または、それに対して存在する７つの区別的発音符のうち、入力を希望する文字が入力欄ｅに表示されたとき、決定キー２４ｊを操作することによって、その文字を入力欄ｅに入力することができる。
【００５８】
上記した実施の形態によれば、ソフトウエアキーボード部３３ｂから選択した特定のアルファベットの文字（この場合「Ａ」）が、入力文字表示部３３ａの入力欄ｅに入力された状態で、リモートコントローラ２４の黄色キー２４ｑを操作する毎に、その入力されたアルファベットの文字に対して存在する区別的発音符が順次切り替え表示されるようにしている。
【００５９】
そして、希望する文字が入力欄ｅに表示されたとき、決定キー２４ｊを操作することにより、その文字を入力欄ｅに入力することができる。このため、ソフトウエアキーボード部３３ｂを用いた文字入力において、ラテン語系アルファベットにおける区別的発音符の入力を容易に行なうことができるようになり、ユーザにとっての入力操作の利便性を向上させ実用に好適するものとなる。
【００６０】
また、上記した実施の形態では、特定のアルファベットの大文字に対して存在する複数の区別的発音符を順次切り替えて表示することについて説明している。しかしながら、例えば、図５（ｆ）に示したように、入力文字表示部３３ａの入力欄ｅにアルファベットの小文字「ａ」が入力されたときには、リモートコントローラ２４の黄色キー２４ｑを操作する毎に、上記入力欄ｅには、アルファベットの小文字「ａ」に対して存在する複数の区別的発音符が順次選択的に切り替え表示されるようになる。そして、希望する文字が入力欄ｅに表示されたとき、決定キー２４ｊを操作することにより、その文字を入力欄ｅに入力することができる。
【００６１】
なお、例えば、図５（ｇ）に示したように、入力文字表示部３３ａの入力欄ｆにアルファベットの大文字「Ｂ」が入力された場合のように、区別的発音符が存在しない文字が入力されたときには、リモートコントローラ２４の黄色キー２４ｑを操作しても無反応となり、入力文字表示部３３ａの入力欄ｆにはアルファベットの大文字「Ｂ」が表示されたままとなる。
【００６２】
当然のことながら、例えば、図５（ｈ）に示したように、入力文字表示部３３ａの入力欄ｆにアルファベットの小文字「ｂ」が入力された場合でも、区別的発音符が存在しない文字が入力されたことに変わりがないので、リモートコントローラ２４の黄色キー２４ｑを操作しても無反応となり、入力文字表示部３３ａの入力欄ｆにはアルファベットの小文字「ｂ」が表示されたままとなる。
【００６３】
また、図８は、入力文字表示部３３ａの入力欄ｆにアルファベットの大文字「Ｂ」のように、区別的発音符が存在しない文字が入力されたときの文字入力（ネットワーク上の名称）画面３３の一例を示している。すなわち、上記文字入力処理部２２ｃは、文字入力（ネットワーク上の名称）画面３３の下部に表示されている各キーの操作ガイドの欄から、黄色キー２４ｑに関する操作ガイドを削除している。
【００６４】
さらに、図９は、入力文字表示部３３ａの入力欄ｆにアルファベットの大文字「Ｂ」のように、区別的発音符が存在しない文字が入力されたときの文字入力（ネットワーク上の名称）画面３３の他の例を示している。すなわち、上記文字入力処理部２２ｃは、文字入力（ネットワーク上の名称）画面３３内にメッセージ表示部３３ｃを設定し、このメッセージ表示部３３ｃに「入力された文字Ｂには区別的発音符が存在しません」というメッセージを表示して、ユーザに区別的発音符への切り替えができないことを警告している。
【００６５】
また、上記した実施の形態では、ソフトウエアキーボード部３３ｂから選択され、入力文字表示部３３ａの入力欄ｅに入力された特定のアルファベットの文字（この場合「Ａ」）に対して、リモートコントローラ２４の黄色キー２４ｑを操作する毎に、その入力されたアルファベットの文字に対して存在する区別的発音符が順次切り替え表示されるようにしている。
【００６６】
しかしながら、これに限らず、例えば、ユーザがリモートコントローラ２４のカーソル上，下，左，右キー２４ｆ〜２４ｉを操作して、ソフトウエアキーボード部３３ｂの中から特定のアルファベットの文字（この場合「Ａ」）を選択しただけの状態、つまり、決定キー２４ｊが操作されず、入力文字表示部３３ａの入力欄ｅには、まだ選択された特定のアルファベットの文字が入力されていない状態においても、リモートコントローラ２４の黄色キー２４ｑを操作することにより、図７（ａ）に示したように、入力文字表示部３３ａの入力欄ｅにアルファベットの大文字「Ａ」が表示され、その後、ユーザがリモートコントローラ２４の黄色キー２４ｑを操作する毎に、図７（ｂ），（ｃ），（ｄ），（ｅ），（ｆ），（ｇ），（ｈ）に示したように、アルファベットの大文字「Ａ」に対して存在する区別的発音符の付された７つの文字が、順次選択的に切り替えて表示されるようにすることもできる。
【００６７】
さらに、文字入力（ネットワーク上の名称）画面３３上において、ユーザがリモートコントローラ２４のカーソル上，下，左，右キー２４ｆ〜２４ｉを操作して、入力文字表示部３３ａのいずれかの入力欄ａ〜ｋを選択すれば、その選択された入力欄ａ〜ｋに入力されている文字に対して、リモートコントローラ２４の黄色キー２４ｑを操作する毎に、区別的発音符を順次選択的に切り替え表示させるようにすることもできる。そして、希望する文字が選択された入力欄ａ〜ｋに表示されたとき、決定キー２４ｊを操作することにより、その文字を選択された入力欄ａ〜ｋに入力することができる。
【００６８】
次に、入力された特定のアルファベットの文字に対して存在する区別的発音符を選択するための他の例について説明する。先に図５（ｅ）に示したように、ユーザがリモートコントローラ２４のカーソル上，下，左，右キー２４ｆ〜２４ｉを操作して、ソフトウエアキーボード部３３ｂの中からアルファベットの文字「Ａ」を選択し、決定キー２４ｊを操作したことにより、入力文字表示部３３ａの入力欄ｅにアルファベットの大文字「Ａ」が入力された状態で、ユーザがリモートコントローラ２４の黄色キー２４ｑを操作する。
【００６９】
すると、上記文字入力処理部２２ｃは、図１０に示すように、文字入力（ネットワーク上の名称）画面３３上に、ソフトウエアキーボード部３３ｂに代えて、アルファベットの大文字「Ａ」とそれに対して存在する７つの区別的発音符とを一覧表示した選択表示部３３ｄを表示する。図１０では、選択表示部３３ｄは画面上で水平方向に一列に配列されている。
【００７０】
そして、ユーザは、リモートコントローラ２４のカーソル左，右キー２４ｈ，２４ｉを操作して、選択表示部３３ｄに一覧表示されている文字の中から希望する文字を選択し、決定キー２４ｊを操作することにより、その選択された文字が入力文字表示部３３ａの入力欄ｅに入力されることになる。
【００７１】
上記したように、特定のアルファベットの文字とそれに対して存在する区別的発音符とを一覧表示した選択表示部３３ｄを表示し、その選択表示部３３ｄの中から所望の文字を選択して決定する手法によっても、ソフトウエアキーボード部３３ｂを用いた文字入力において、ラテン語系アルファベットにおける区別的発音符の入力を容易に行なうことができるようになり、ユーザにとっての入力操作の利便性を向上させ実用に好適するものとなる。なお、この場合、入力文字表示部３３ａの入力欄ｅに既に入力されている特定のアルファベットの文字（この場合「Ａ」）は、選択表示部３３ｄ内に含まれていなくても良いものである。
【００７２】
また、図１０に示した例では、ソフトウエアキーボード部３３ｂから選択され、入力文字表示部３３ａの入力欄ｅに入力された特定のアルファベットの文字（この場合「Ａ」）に対して、リモートコントローラ２４の黄色キー２４ｑを操作することにより、その入力されたアルファベットの文字とそれに対して存在する区別的発音符とが選択表示部３３ｄに一覧表示されるようにしている。
【００７３】
しかしながら、これに限らず、例えば、ユーザがリモートコントローラ２４のカーソル上，下，左，右キー２４ｆ〜２４ｉを操作して、ソフトウエアキーボード部３３ｂの中から特定のアルファベットの文字（この場合「Ａ」）を選択しただけの状態、つまり、決定キー２４ｊが操作されず、入力文字表示部３３ａの入力欄ｅには、まだ選択された特定のアルファベットの文字が入力されていない状態においても、リモートコントローラ２４の黄色キー２４ｑを操作することにより、その入力されたアルファベットの文字とそれに対して存在する区別的発音符とが選択表示部３３ｄに一覧表示されるようにすることも可能である。なお、この場合には、ユーザがリモートコントローラ２４のカーソル上，下，左，右キー２４ｆ〜２４ｉを操作して、ソフトウエアキーボード部３３ｂの中から選択した特定のアルファベットの文字（この場合「Ａ」）は、選択表示部３３ｄ内に含まれる必要がある。
【００７４】
上記したように、ソフトウエアキーボード部３３ｂから選択された、または、入力文字表示部３３ａのいずれかの入力欄ａ〜ｋに入力された特定のアルファベットの文字に対して存在する区別的発音符を選択表示部３３ｄに一覧表示させる手法においても、区別的発音符が存在しない文字が選択または入力されたときには、リモートコントローラ２４の黄色キー２４ｑを操作した場合、選択または入力された区別的発音符が存在しない文字のみが選択表示部３３ｄに表示されるようになる。つまり、選択表示部３３ｄからは、１つの文字のみが選択可能となる。また、このような場合には、図８や図９に示したように、黄色キー２４ｑに関する操作ガイドの削除やメッセージ表示を行なうようにすることも可能である。
【００７５】
また、上記した実施の形態では、デジタルテレビジョン放送受信装置１１について説明したが、これに限らず、この発明は、例えばＳＴＢ（set top box）のようなデジタル放送受信装置や、ＤＶＤ（digital versatile disk）等の光ディスクを用いた記録再生機器等に広く適用することができることはもちろんである。
【００７６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７７】
１１…デジタルテレビジョン放送受信装置、１２…アンテナ、１３…入力端子、１４…デジタルチューナ、１５…信号処理部、１６…デコーダ部、１７…映像処理部、１８…表示処理部、１９…映像表示部、２０…音声処理部、２１…スピーカ、２２…制御部、２２ａ…ＣＰＵ、２２ｂ…メモリ部、２２ｃ…文字入力処理部、２３…操作部、２４…リモートコントローラ、２５…受光部、２６…ＨＤＤ、２６ａ…ハードディスク、２７…ネットワークインターフェース、２８…入出力端子、２９…ネットワーク、３０…ＰＣ、３１…記録再生機器、３２…マニュアル設定項目選択画面、３３…文字入力（ネットワーク上の名称）画面、３３ａ…入力文字表示部、３３ｂ…ソフトウエアキーボード部、３３ｃ…メッセージ表示部、３３ｄ…選択表示部。
【図１】
2011141691.tif 000005
【図２】
2011141691.tif 000006
【図３】
2011141691.tif 000007
【図４】
2011141691.tif 000008
【図５】
2011141691.tif 000009
【図６】
2011141691.tif 000010
【図７】
2011141691.tif 000011
【図８】
2011141691.tif 000012
【図９】
2011141691.tif 000013
【図１０】
2011141691.tif 000014
【手続補正書】
【提出日】平成22年10月27日(2010.10.27)
【手続補正１】
【補正対象書類名】明細書
【補正対象項目名】００１１
【補正方法】変更
【補正の内容】
【００１１】
この発明に係る文字入力装置は、リモートコントローラのキー操作に基づいて、複数のアルファベットの文字を画面上に表示し、この画面上に表示された複数のアルファベットの文字の中からいずれかの文字を選択して入力する入力手段と、リモートコントローラのキー操作に基づいて、入力手段で選択されたアルファベットの文字に関連する複数のアルファベットの文字を画面上に表示し、この画面上に表示された複数のアルファベットの文字の中からいずれかの文字を選択して入力する制御手段とを備えるようにしたものである。
【手続補正２】
【補正対象書類名】明細書
【補正対象項目名】００１２
【補正方法】変更
【補正の内容】
【００１２】
また、この発明に係る文字入力方法は、リモートコントローラのキー操作に基づいて、複数のアルファベットの文字を画面上に表示し、この画面上に表示された複数のアルファベットの文字の中からいずれかの文字を選択して入力し、リモートコントローラのキー操作に基づいて、選択されたアルファベットの文字に関連する複数のアルファベットの文字を画面上に表示し、この画面上に表示された複数のアルファベットの文字の中からいずれかの文字を選択して入力するようにしたものである。
【手続補正３】
【補正対象書類名】明細書
【補正対象項目名】００１３
【補正方法】変更
【補正の内容】
【００１３】
上記した発明によれば、リモートコントローラのキー操作に基づいて、選択されたアルファベットの文字に関連する複数のアルファベットの文字を画面上に表示し、この画面上に表示された複数のアルファベットの文字の中からいずれかの文字を選択して入力するようにしたので、ソフトウエアキーボード機能を用いた文字入力で、ラテン語系アルファベットにおける区別的発音符の入力操作を容易化することができ、ユーザにとっての入力操作の利便性を向上させ実用に適するものとなる。
【手続補正４】
【補正対象書類名】特許請求の範囲
【補正対象項目名】全文
【補正方法】変更
【補正の内容】
【特許請求の範囲】
【請求項１】
リモートコントローラのキー操作に基づいて、複数のアルファベットの文字を画面上に表示し、この画面上に表示された複数のアルファベットの文字の中からいずれかの文字を選択して入力する入力手段と、
前記リモートコントローラのキー操作に基づいて、前記入力手段で選択されたアルファベットの文字に関連する複数のアルファベットの文字を画面上に表示し、この画面上に表示された複数のアルファベットの文字の中からいずれかの文字を選択して入力する制御手段とを具備する文字入力装置。
【請求項２】
前記制御手段は、前記リモートコントローラのキー操作に基づいて、前記入力手段で入力されたアルファベットの文字に関連する複数のアルファベットの文字を画面上に表示し、画面上に表示された複数のアルファベットの文字の中からいずれかの文字を選択して入力する請求項１記載の文字入力装置。
【請求項３】
前記制御手段は、前記入力手段で選択されたアルファベットの文字に関連する複数のアルファベットの文字を、前記リモートコントローラの第１のキーが操作されるとき順次選択的に画面上に表示し、前記リモートコントローラの第２のキーが操作されたとき、画面上に表示されたアルファベットの文字を入力する請求項１記載の文字入力装置。
【請求項４】
前記制御手段は、前記入力手段で選択されたアルファベットの文字に関連する複数のアルファベットの文字を、前記リモートコントローラの第１のキーの操作に基づいて前記画面上に一覧表示し、この一覧表示された複数のアルファベットの文字の中から前記リモートコントローラのキー操作に基づいていずれかの文字を選択して入力する請求項１記載の文字入力装置。
【請求項５】
前記制御手段は、前記入力手段で選択されたアルファベットの文字が関連するアルファベットの文字の存在しない文字である場合、前記リモートコントローラの第１のキーが操作されても無視する請求項４記載の文字入力装置。
【請求項６】
前記制御手段は、前記入力手段で選択されたアルファベットの文字が関連するアルファベットの文字の存在しない文字である場合、前記リモートコントローラの第１のキーに対する操作ガイドを画面上から削除する請求項４記載の文字入力装置。
【請求項７】
前記制御手段は、前記入力手段で選択されたアルファベットの文字が関連するアルファベットの文字の存在しない文字である場合、その旨を示す警告を画面上に表示する請求項４記載の文字入力装置。
【請求項８】
前記制御手段は、前記入力手段で選択されたアルファベットの文字が関連するアルファベットの文字の存在しない文字である場合、その文字のみを前記一覧表示として表示する請求項４記載の文字入力装置。
【請求項９】
リモートコントローラのキー操作に基づいて、複数のアルファベットの文字を画面上に表示し、この画面上に表示された複数のアルファベットの文字の中からいずれかの文字を選択して入力し、
前記リモートコントローラのキー操作に基づいて、前記選択されたアルファベットの文字に関連する複数のアルファベットの文字を画面上に表示し、この画面上に表示された複数のアルファベットの文字の中からいずれかの文字を選択して入力する文字入力方法。
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
リモートコントローラのキー操作に基づいて、複数のアルファベットの文字を画面上に表示し、この画面上に表示された複数のアルファベットの文字の中からいずれかの文字を選択して入力欄に入力する入力手段と、
前記入力手段で入力欄に入力したアルファベットの文字に関連する複数のアルファベットの文字を、前記リモートコントローラの第１のキーが操作される毎に、前記入力したアルファベットの文字の位置にて順次選択的に切り替えて前記入力欄に表示し、前記リモートコントローラの第２のキーが操作されたとき、前記入力欄に表示されているアルファベットの文字を入力する制御手段とを具備する文字入力装置。
【請求項２】
前記制御手段は、前記入力手段で入力欄に入力されたアルファベットの文字が、関連するアルファベットの文字の存在しない文字である場合、前記リモートコントローラの第１のキーが操作されても無視する請求項１記載の文字入力装置。
【請求項３】
前記制御手段は、前記入力手段で入力欄に入力されたアルファベットの文字が、関連するアルファベットの文字の存在しない文字である場合、前記リモートコントローラの第１のキーに対する操作ガイドを画面上から削除する請求項１記載の文字入力装置。
【請求項４】
前記制御手段は、前記入力手段で入力欄に入力されたアルファベットの文字が、関連するアルファベットの文字の存在しない文字である場合、その旨を示す警告を画面上に表示する請求項１記載の文字入力装置。
【請求項５】
リモートコントローラのキー操作に基づいて、複数のアルファベットの文字を画面上に表示し、
前記画面上に表示された複数のアルファベットの文字の中からいずれかの文字を選択して入力欄に入力し、
前記入力欄に入力したアルファベットの文字に関連する複数のアルファベットの文字を、前記リモートコントローラの第１のキーが操作される毎に、前記入力したアルファベットの文字の位置にて順次選択的に切り替えて前記入力欄に表示し、
前記リモートコントローラの第２のキーが操作されたとき、前記入力欄に表示されているアルファベットの文字を入力する文字入力方法。
【手続補正２】
【補正対象書類名】明細書
【補正対象項目名】００１１
【補正方法】変更
【補正の内容】
【００１１】
この発明に係る文字入力装置は、リモートコントローラのキー操作に基づいて、複数のアルファベットの文字を画面上に表示し、この画面上に表示された複数のアルファベットの文字の中からいずれかの文字を選択して入力欄に入力する入力手段と、入力手段で入力欄に入力したアルファベットの文字に関連する複数のアルファベットの文字を、リモートコントローラの第１のキーが操作される毎に、入力したアルファベットの文字の位置にて順次選択的に切り替えて入力欄に表示し、リモートコントローラの第２のキーが操作されたとき、入力欄に表示されているアルファベットの文字を入力する制御手段とを備えるようにしたものである。
【手続補正３】
【補正対象書類名】明細書
【補正対象項目名】００１２
【補正方法】変更
【補正の内容】
【００１２】
また、この発明に係る文字入力方法は、リモートコントローラのキー操作に基づいて、複数のアルファベットの文字を画面上に表示し、画面上に表示された複数のアルファベットの文字の中からいずれかの文字を選択して入力欄に入力し、入力欄に入力したアルファベットの文字に関連する複数のアルファベットの文字を、リモートコントローラの第１のキーが操作される毎に、入力したアルファベットの文字の位置にて順次選択的に切り替えて入力欄に表示し、リモートコントローラの第２のキーが操作されたとき、入力欄に表示されているアルファベットの文字を入力するようにしたものである。
【手続補正４】
【補正対象書類名】明細書
【補正対象項目名】００１３
【補正方法】変更
【補正の内容】
【００１３】
上記した発明によれば、入力欄に入力したアルファベットの文字に関連する複数のアルファベットの文字を、リモートコントローラの第１のキーが操作される毎に、入力したアルファベットの文字の位置にて順次選択的に切り替えて入力欄に表示し、リモートコントローラの第２のキーが操作されたとき、入力欄に表示されているアルファベットの文字を入力するようにしたので、ソフトウエアキーボード機能を用いた文字入力で、ラテン語系アルファベットにおける区別的発音符の入力操作を容易化することができ、ユーザにとっての入力操作の利便性を向上させ実用に適するものとなる。